【手続補正書】
【提出日】平成16年1月29日(2004.1.29)
【手続補正１】
【補正対象書類名】明細書
【補正対象項目名】特許請求の範囲
【補正方法】変更
【補正の内容】
【特許請求の範囲】
【請求項１】
多孔質セラミック焼結体からなる複数のフィルタの外周面同士をセラミック質シール材層を介して接着することにより、前記各フィルタを一体化してなる集合体であって、前記多孔質セラミック焼結体がα型炭化珪素焼結体にて構成され、前記シール材層は、その厚さが０．３ｍｍ〜５ｍｍであり、かつその熱伝導率が０．１Ｗ／ｍ・Ｋ〜１０Ｗ／ｍ・Ｋであることを特徴とするセラミックフィルタ集合体。
【請求項２】
α型炭化珪素焼結体からなるフィルタの熱伝導率は、２０〜８０Ｗ／ｍ・Ｋであることを特徴とする請求項１に記載のセラミックフィルタ集合体。
【請求項３】
多孔質セラミック焼結体からなる複数のフィルタの外周面同士をセラミック質シール材層を介して接着することにより、前記各フィルタを軸線方向にずらした配置状態で一体化してなる集合体であって、前記シール材層は、その厚さが０．３ｍｍ〜５ｍｍであり、かつその熱伝導率が０．１Ｗ／ｍ・Ｋ〜１０Ｗ／ｍ・Ｋであることを特徴とするセラミックフィルタ集合体。
【請求項４】
フィルタを軸線方向にずらした配置状態で一体化してなる多孔質セラミック焼結体からなるフィルタの熱伝導率は、２０〜８０Ｗ／ｍ・Ｋであることを特徴とする請求項３に記載のセラミックフィルタ集合体。
【請求項５】
前記シール材層は、固形分で７０重量％以下のセラミックファイバを含有することを特徴とする請求項１または３に記載のセラミックフィルタ集合体。
【請求項６】
前記シール材層は、繊維長が１００ｍｍ以下のセラミックファイバを含有することを特徴とする請求項１または３に記載のセラミックフィルタ集合体。
【請求項７】
前記シール材層は、固形分で３重量％〜８０重量％の無機粒子を含有することを特徴とする請求項１または３に記載のセラミックフィルタ集合体。
【手続補正２】
【補正対象書類名】明細書
【補正対象項目名】００１１
【補正方法】変更
【補正の内容】
【００１１】
【課題を解決するための手段】
上記の課題を解決するために開発した本発明は、
(1)多孔質セラミック焼結体からなる複数のフィルタの外周面同士をセラミック質シール材層を介して接着することにより、前記各フィルタを一体化してなる集合体であって、前記多孔質セラミック焼結体がα型炭化珪素焼結体にて構成され、前記シール材層の厚さが０．３ｍｍ〜５ｍｍであり、かつその熱伝導率が０．１Ｗ／ｍ・Ｋ〜１０Ｗ／ｍ・Ｋであることを特徴とするセラミックフィルタ集合体。
(2)多孔質セラミック焼結体からなる複数のフィルタの外周面同士をセラミック質シール材層を介して接着することにより、前記各フィルタを軸線方向にずらした配置状態で一体化してなる集合体であって、前記シール材層は、その厚さが０．３ｍｍ〜５ｍｍであり、かつその熱伝導率が０．１Ｗ／ｍ・Ｋ〜１０Ｗ／ｍ・Ｋであることを特徴とするセラミックフィルタ集合体。
である。


【手続補正３】
【補正対象書類名】明細書
【補正対象項目名】００１２
【補正方法】変更
【補正の内容】
【００１２】
本発明においては、前記シール材層は、固形分で７０重量％以下、繊維長が１００ｍｍ以下のセラミックファイバを含有することとした。


【手続補正４】
【補正対象書類名】明細書
【補正対象項目名】００１３
【補正方法】変更
【補正の内容】
【００１３】
また、本発明において、前記シール材層は、固形分で３重量％〜８０重量％の無機粒子を含有するとした。以下、本発明の「作用」について説明する。


【手続補正５】
【補正対象書類名】明細書
【補正対象項目名】００１４
【補正方法】変更
【補正の内容】
【００１４】
本発明によると、シール材層の厚さ及び熱伝導率を上記好適範囲内に設定したことにより、シール材層の熱伝導性が改善される結果、シール材層によってフィルタ間の熱伝導が阻害されにくくなる。従って、使用時において集合体内に温度差が生じにくくなる。


【手続補正６】
【補正対象書類名】明細書
【補正対象項目名】００１７
【補正方法】変更
【補正の内容】
【００１７】
本発明によると、シール材層に高い熱伝導率及び弾力性が付与される。なお、セラミックファイバの含有量が固形分で７０重量％を超えると、熱伝導率の低下を招くばかりでなく、弾力性も低下する。


【手続補正７】
【補正対象書類名】明細書
【補正対象項目名】００１８
【補正方法】変更
【補正の内容】
【００１８】
本発明によると、シール材層におけるファイバの毛玉化が回避されるため、シール材層を比較的簡単に薄くすることができる。従って、その厚さを５ｍｍ以下に設定することができ、フィルタ間の熱伝導性の改善に寄与することができる。なお、繊維長が１００ｍｍを超えると、ファイバが毛玉化しやすくなる。


【手続補正８】
【補正対象書類名】明細書
【補正対象項目名】００１９
【補正方法】変更
【補正の内容】
【００１９】
本発明によると、シール材層に高い熱伝導率が付与される。なお、無機粒子の含有量が固形分で３重量％未満であると、シール材層の熱伝導率の低下を招くため、シール材層が依然として大きな熱抵抗となってしまう。


【手続補正９】
【補正対象書類名】明細書
【補正対象項目名】００７７
【補正方法】変更
【補正の内容】
【００７７】
次に、特許請求の範囲に記載された技術的思想のほかに、前述した実施形態によって把握される技術的思想を以下に列挙する。
（１）前記集合体はディーゼルパティキュレートフィルタであること。


【手続補正１０】
【補正対象書類名】明細書
【補正対象項目名】００７８
【補正方法】変更
【補正の内容】
【００７８】
（２）前記フィルタは、多孔質炭化珪素焼結体からなるハニカムフィルタであること。従って、この技術的思想２に記載の発明によれば、圧力損失が小さくて、しかも耐熱性及び熱伝導性に優れたものとすることができる。


【手続補正１１】
【補正対象書類名】明細書
【補正対象項目名】００７９
【補正方法】変更
【補正の内容】
【００７９】
（３）前記シール材層は、少なくとも無機繊維、無機バインダ、有機バインダ及び無機粒子からなり、かつ三次元的に交錯する前記無機繊維と無機粒子とを、前記無機バインダ及び有機バインダを介して互いに結合してなる弾性質素材からなること。


【手続補正１２】
【補正対象書類名】明細書
【補正対象項目名】００８０
【補正方法】変更
【補正の内容】
【００８０】
（４）前記シール材層は、固形分で１０重量％〜７０重量％のシリカ−アルミナセラミックファイバ、１重量％〜３０重量％のシリカゾル、０．１重量％〜５．０重量％のカルボメトキシセルロース及び３重量％〜８０重量％の炭化珪素粉末からなること。


【手続補正１３】
【補正対象書類名】明細書
【補正対象項目名】００８１
【補正方法】変更
【補正の内容】
【００８１】
（５）前記フィルタは、フィルタ軸線方向に直交する方向に沿って互いにずらした状態で配置されていること。従って、この技術的思想５に記載の発明によれば、集合体の均熱性をよりいっそう向上できる。


【手続補正１４】
【補正対象書類名】明細書
【補正対象項目名】００８３
【補正方法】変更
【補正の内容】
【００８３】
【発明の効果】
以上詳述したように、本発明によれば、フィルタ間の熱伝導が阻害されにくいため、均熱性に優れたセラミックフィルタ集合体を提供することができる。


【手続補正１５】
【補正対象書類名】明細書
【補正対象項目名】００８４
【補正方法】変更
【補正の内容】
【００８４】
また、本発明によれば、均熱性によりいっそう優れた集合体とすることができる。